(57)【要約】  本発明は、権利オブジェクトの移動方法および電子装置に関するものである。本発明の実施形態によるデジタルコンテンツに対する使用権限情報を有する権利オブジェクトの移動方法は、前記権利オブジェクトを暗号化して保安権利オブジェクトを生成する段階、および前記保安権利オブジェクトを第１装置から第２装置に移動させる段階とを含む。
2009537092.tif 000002
【特許請求の範囲】
【請求項１】
デジタルコンテンツに対する使用権限情報を有する権利オブジェクトの移動方法において、
前記権利オブジェクトを暗号化して保安権利オブジェクトを生成する段階、および
前記保安権利オブジェクトを第１装置から第２装置に移動させる段階と、を含む、権利オブジェクトの移動方法。
【請求項２】
前記保安権利オブジェクトを生成する段階は、
前記権利オブジェクトから前記使用権限情報を抽出する段階、および
前記抽出した使用権限情報を暗号化する段階と、を含む、請求項１に記載の権利オブジェクトの移動方法。
【請求項３】
前記使用権限情報は、前記デジタルコンテンツの暗号化キーを含む、請求項２に記載の権利オブジェクトの移動方法。
【請求項４】
前記抽出した使用権限情報を暗号化する段階は、
暗号キーを利用して前記デジタルコンテンツの暗号化キーを暗号化する段階を含む、請求項３に記載の権利オブジェクトの移動方法。
【請求項５】
前記第１装置で前記保安権利オブジェクトを保存する段階、および
前記保安権利オブジェクトが前記第２装置への移動が完了すると、前記第１装置に保存された保安権利オブジェクトを削除する段階と、をさらに含む、請求項４に記載の権利オブジェクトの移動方法。
【請求項６】
前記第１装置から前記第２装置に前記保安権利オブジェクトの復号化を要請する段階、および
前記第２装置で前記保安権利オブジェクトを復号化する段階と、をさらに含む、請求項１に記載の権利オブジェクトの移動方法。
【請求項７】
前記第１装置から前記第２装置に前記保安権利オブジェクトの復号化を要請する段階、および
前記第２装置で前記保安権利オブジェクトを復号化する段階と、をさらに含む、請求項５に記載の権利オブジェクトの移動方法。
【請求項８】
前記暗号キーを前記第２装置に伝送する段階をさらに含み、
前記保安権利オブジェクトを復号化する段階は、
前記暗号キーを利用して前記保安権利オブジェクトを復号化する段階と、を含む、請求項７に記載の権利オブジェクトの移動方法。
【請求項９】
デジタルコンテンツに対する使用権限情報を有する権利オブジェクトが保存された保存部と、
前記権利オブジェクトを暗号化して保安権利オブジェクトを生成する暗号化部と、
外部装置と接続するためのインターフェース部、および
前記保安権利オブジェクトを生成するように前記暗号化部を制御して、前記保安権利オブジェクトを前記インターフェース部を通じて前記外部装置に移動させる制御部と、を含む、電子装置。
【請求項１０】
前記暗号化部は、
前記権利オブジェクトから前記使用権限情報を抽出して、抽出した使用権限情報を暗号化して前記保安権利オブジェクトを生成する、請求項９に記載の電子装置。
【請求項１１】
前記使用権限情報は、前記デジタルコンテンツの暗号化キーを含む、請求項１０に記載の電子装置。
【請求項１２】
前記暗号化部は、暗号キーを利用して前記デジタルコンテンツの暗号化キーを暗号化する、請求項１１に記載の電子装置。
【請求項１３】
前記制御部は、
前記保安権利オブジェクトを前記保存部に保存して、前記保安権利オブジェクトが前記外部装置への移動が完了すると、前記保存部に保存された前記保安権利オブジェクトを削除する、請求項１２に記載の電子装置。
【請求項１４】
前記制御部は、前記暗号キーを前記外部装置で伝送して、前記外部装置に前記暗号キーを利用して前記保安権利オブジェクトを復号化するように要請する、請求項１２に記載の電子装置。
【請求項１５】
保安権利オブジェクトを伝送する外部装置と接続するためのインターフェース部と、
前記インターフェース部を通じて前記外部装置から受信した前記保安権利オブジェクトを保存する保存部と、
前記保安権利オブジェクトを復号化する復号化部、および
前記保安権利オブジェクトを復号化するように前記復号化部を制御して、復号化された権利オブジェクトを前記保存部に保存する制御部と、を含む、電子装置。
【請求項１６】
前記インターフェース部は、前記外部装置から前記保安権利オブジェクトに対する復号化要請を受信して、
前記制御部は、前記要請に対する応答として前記保安権利オブジェクトを復号化するように前記復号化部を制御する、請求項１５に記載の電子装置。
【請求項１７】
前記インターフェース部は、前記外部装置から暗号キーを受信して、
前記制御部は前記暗号キーを用いて前記保安権利オブジェクトを復号化するように前記復号化部を制御する、請求項１６に記載の電子装置。
【請求項１８】
前記制御部は、前記インターフェース部を通じて前記保安権利オブジェクトの復号化が完了したことを前記外部装置に知らせる、請求項１７に記載の電子装置。
【発明の詳細な説明】
【技術分野】
【０００１】
本発明は、権利オブジェクトの移動方法および電子装置に関するものであって、より詳細には、権利オブジェクトの移動時にコピーを防止できる権利オブジェクトの移動方法および電子装置に関するものである。
【背景技術】
【０００２】
最近、容易に不正コピーおよび配布ができるデジタルコンテンツを保護するための概念であるデジタル著作権管理（Ｄｉｇｉｔａｌ  Ｒｉｇｈｔｓ  Ｍａｎａｇｅｍｅｎｔｓ：以下、「ＤＲＭ」という）技術に関する研究が活発で、ＤＲＭ技術を適用した商用サービスが導入されたり導入されつつある。
【０００３】
デジタルコンテンツを保護しようとする努力は従来にもあったが、これはデジタルコンテンツに対する不正アクセスの防止に重点を置いていた。例えば、デジタルコンテンツに対するアクセス（ａｃｃｅｓｓ）は代価を払ったユーザだけに許容され、代価を払わないユーザはデジタルコンテンツにアクセスできなかった。
【０００４】
しかし、デジタルデータの特性上、デジタルコンテンツは、再使用、加工、コピーおよび配布が容易であるため、代価を払ってデジタルコンテンツにアクセスしたユーザがこれを不正にコピーまたは配布する場合には代価を払わないユーザもデジタルコンテンツを使用することができる。
【０００５】
このような問題点を克服するために、ＤＲＭ技術はデジタルコンテンツを暗号化して配布し、暗号化されたデジタルコンテンツを使用するためには、権利オブジェクト（Ｒｉｇｈｔｓ  Ｏｂｊｅｃｔ：ＲＯ）という特定のライセンスが必要である。
【０００６】
図１を参照して説明すると、デジタルコンテンツを使用しようとするユーザはホストデバイス１１０を通して望みのデジタルコンテンツをコンテンツ供給者１２０から得ることができる。このとき、コンテンツ供給者１２０が供給するデジタルコンテンツは暗号化された状態であり、暗号化されたデジタルコンテンツ（以下、「コンテンツオブジェクト」という）を使用するためには権利オブジェクトが必要である。
【０００７】
ユーザは、ホストデバイス１１０を通して一定の代価を払って権利オブジェクト発行機関１３０からコンテンツオブジェクトを実行させることができる権限が含まれた権利オブジェクトを得ることができる。権利オブジェクトに含まれた権限はコンテンツオブジェクトを復号化させることができるコンテンツ暗号化キーでありうる。
【０００８】
このとき、権利オブジェクト発行機関１３０はコンテンツ供給者１２０に権利オブジェクトの発行内訳を報告するようになり、場合によっては権利オブジェクト発行機関１３０とコンテンツ供給者１２０が同じ主体でありうる。
【０００９】
権利オブジェクトを得たユーザは権利オブジェクトを利用してコンテンツオブジェクトを使用することができる。
【００１０】
コンテンツオブジェクトは、他のユーザにも自由にコピーおよび配布されうるが、権利オブジェクトはコンテンツを使用できる回数や期間などの制限情報または権利オブジェクトのコピーを許容する回数などに関する制限情報を含んでおりその再使用やコピーに一定の制限が加えるようになる。
【００１１】
これによって、ＤＲＭ技術によればデジタルコンテンツを効果的に保護することができる。
【００１２】
ユーザは、このような権利オブジェクトを携帯電話やＰＤＡのようにマルチメディアデータを実行させようとするホストデバイスに保存する。
【００１３】
しかし、最近ではコンテンツオブジェクトまたは権利オブジェクトの保管および配布を容易にするために、メモリスティックやマルチメディアカード（Ｍｕｌｔｉ−Ｍｅｄｉａ  Ｃａｒｄと、ＭＭＣ）のような携帯用保存装置により権利オブジェクトを管理する技術が試みられている。
【００１４】
図２は、従来のホストデバイス１１０に保存された権利オブジェクトを携帯用保存装置１４０に移動させる過程を示すフローチャートである。
【００１５】
携帯用保存装置１４０がホストデバイス１１０に接続すると、ユーザはホストデバイス１１０から携帯用保存装置１４０への権利オブジェクトの移動命令を実行させることができる。
【００１６】
図２に示すように、権利オブジェクト移動命令が実行されれば、ホストデバイス１１０は携帯用保存装置１４０に権利オブジェクトを移動させる（Ｓ１１０）。該当権利オブジェクトの移動が完了すると、携帯用保存装置１４０はホストデバイス１１０に該当権利オブジェクトの移動が完了したことを知らせる（Ｓ１２０）。ホストデバイス１１０は、移動完了の通知を受けると、ホストデバイス１１０にある該当権利オブジェクトを削除する（Ｓ１３０）。
【００１７】
しかし、このような従来の権利オブジェクト移動の流れにおいて該当権利オブジェクトの移動が完了して携帯用保存装置１４０がホストデバイス１１０にこれを知らせる前の時点すなわち、図２のＡ時点でプロセスが非正常的に終了すると、ホストデバイス１１０は権利オブジェクトの移動完了に対する通知を受けることができないので、ホストデバイス１１０にある該当権利オブジェクトを削除する時点を認識することができない。結局、ホストデバイス１１０と携帯用保存装置１４０に使用可能な権利オブジェクトが同時に存在するようになって権利オブジェクトが不正コピーされた状態になる。
【発明の開示】
【発明が解決しようとする課題】
【００１８】
本発明は、前記した問題点を改善するために案出されたものであって、権利オブジェクトの移動時、コピーを防止できる権利オブジェクトの移動方法および電子装置を提供することにその目的がある。
【課題を解決するための手段】
【００１９】
前記目的を達成するために本発明の一実施形態によるデジタルコンテンツに対する使用権限情報を有する権利オブジェクトの移動方法は、前記権利オブジェクトを暗号化して保安権利オブジェクトを生成する段階、および前記保安権利オブジェクトを第１装置から第２装置に移動させる段階と、を含む。
【００２０】
前記目的を達成するために本発明の一実施形態による電子装置は、デジタルコンテンツに対する使用権限情報を有する権利オブジェクトが保存された保存部と、  前記権利オブジェクトを暗号化して保安権利オブジェクトを生成する暗号化部と、  外部装置と接続するためのインターフェース部、および前記保安権利オブジェクトを生成するように前記暗号化部を制御して、前記保安権利オブジェクトを前記インターフェース部を通じて前記外部装置に移動させる制御部と、を含む。
【００２１】
前記目的を達成するために本発明の一実施形態による電子装置は、保安権利オブジェクトを伝送する外部装置と接続するためのインターフェース部と、前記インターフェース部を通じて前記外部装置から受信した前記保安権利オブジェクトを保存する保存部と、前記保安権利オブジェクトを復号化する復号化部、および前記保安権利オブジェクトを復号化するように前記復号化部を制御して、復号化された権利オブジェクトを前記保存部に保存する制御部と、を含む。
【発明の効果】
【００２２】
前記したように本発明による権利オブジェクトの移動方法および電子装置によれば、権利オブジェクトの移動時にコピーを防止できる効果がある。
【発明を実施するための最良の形態】
【００２３】
その他実施形態の具体的な内容は詳細な説明および図に含まれており、本発明の利点、特徴、およびそれらを達成する方法は、添付される図面と共に詳細に後述される実施形態を参照すれば明確になるであろう。しかし、本発明は、以下で開示される実施形態に限定されるものではなく、互いに異なる多様な形態で具現されることが可能である。本実施形態は、単に本発明の開示が完全になるように、本発明が属する技術分野で通常の知識を有する者に対して発明の範疇を完全に知らせるために提供されるものであり、本発明は、請求項の範囲によってのみ定義される。なお、明細書全体にかけて、同一の参照符号は同一の構成要素を指すものとする。
【００２４】
まず、詳細な説明をする前に本明細書で使用する用語の意味を簡略に説明する。しかし、これは、本明細書の理解を助けるためのものであって、本発明の詳細な説明において本発明を明示的に限定しない場合、以下の用語が本発明の技術的思想を限定する意味で使用されるものではないことに注意しなければならない。
【００２５】
「移動」は、一つの装置から他の装置にファイルを移動させる機能であって、ファイル移動の中には該当ファイルが二つの装置に同時に存在することができるが、ファイルの移動が完了した後には該当ファイルが原本装置に残っていてはならず、ただファイル移動が完了した装置だけに存在しなければならない。
【００２６】
「コピー」は、一つの権利オブジェクトが使用可能な状態で二つ以上の装置に存在する状態をいう。
【００２７】
以下、添付されたブロック図または処理フローチャートに対する図を参考にして本発明の実施形態による権利オブジェクトの移動方法および電子装置に対して説明する。この時、フローチャートの各ブロックとフロ−チャートの組み合わせはコンピュータプログラムインストラクションにより実行可能なのが理解できるであろう。
【００２８】
これらコンピュータプログラムインストラクションは、汎用コンピュータ、特殊用コンピュータまたはその他のプログラマブルデータプロセッシング装備のプロセッサーに搭載されうるので、コンピュータまたはその他のプログラマブルデータプロセッシング装備のプロセッサーを通じて実行されるそのインストラクションがフローチャートのブロックで説明された機能を行う手段を生成するように機構を作れる。
【００２９】
これらコンピュータプログラムインストラクションは特定方式で機能を具現するためにコンピュータまたはその他のプログラマブルデータプロセッシング装備を指向できるコンピュータ利用可能またはコンピュータ判読可能メモリに保存されることも可能なので、そのコンピュータ利用可能またはコンピュータ判読可能メモリに保存されたインストラクションはフローチャートのブロックで説明された機能を行うインストラクション手段を内包する製造品目を生産することも可能である。コンピュータプログラムインストラクションはコンピュータまたはその他のプログラマブルデータプロセッシング装備上に搭載することも可能なので、コンピュータまたはその他のプログラマブルデータプロセッシング装備上で一連の動作段階が実行されてコンピュータで実行されるプロセスを生成し、コンピュータまたはその他のプログラマブルデータプロセッシング装備を行うインストラクションはフローチャートのブロックで説明された機能を実行するための段階を提供することも可能である。
【００３０】
また、各ブロックは特定の論理的機能を行うための一つ以上の実行可能なインストラクションを含むモジュール、セグメントまたはコードの一部を示すことができる。また、いくつの代替実行例では、ブロックで言及された機能が順序を外れて発生することも可能であるということに注目せねばならない。例えば、連続して図示されている二つのブロックは、実質的に同時に行われてもよく、またはそのブロックが時々該当する機能によって逆順に行われてもよい。
【００３１】
図３は、本発明の実施形態による権利オブジェクトの移動システムの構成ブロック図である。
【００３２】
図示された権利オブジェクトの移動システムは、権利オブジェクトが保存されたホストデバイス１０と、ホストデバイス１０と接続可能な携帯用保存装置２０を含む。
【００３３】
ホストデバイス１０は、権利オブジェクトに記述された権限によりデジタルコンテンツを再生および管理する装置であって、携帯電話、ＰＤＡ、ノートブック、デスクトップコンピュータ、デジタルＴＶなどのマルチメディア装置でありうる。
【００３４】
携帯用保存装置２０は、フラッシュメモリのようにデータの読み取り、書き込み、削除することができる性質を有する不揮発性メモリを有し、データに対する所定の演算能力を有し、容易にホストデバイス１０との連結／分離ができる保存装置であって、スマートメディア、メモリスティック、ＣＦカード、ＸＤカード、マルチメディアカードなどでありうる。
【００３５】
ホストデバイス１０は、権利オブジェクトが保存された保存部１２、権利オブジェクトを暗号化する暗号化部１４、携帯用保存装置２０と接続するためのインターフェース部１６、これらを制御する制御部１８を含む。
【００３６】
保存部１２に保存された権利オブジェクトは、コンテンツオブジェクトを使用できる権限情報、該当コンテンツに対する使用制限情報、権利オブジェクトのコピー制限情報、権利オブジェクトＩＤおよびコンテンツＩＤなどを含む一種のライセンスである。
【００３７】
コンテンツオブジェクトを使用できる権限情報はコンテンツオブジェクトを復号化できるコンテンツ暗号化キー（Ｃｏｎｔｅｎｔ  Ｅｎｃｒｙｐｔｏｎ  Ｋｅｙ：以下、「ＣＥＫ」という）でありうる。
【００３８】
暗号化部１４は、制御部１８の要請により保存部１２に保存された権利オブジェクトを暗号化して暗号化された権利オブジェクトを生成する。
【００３９】
具体的に、暗号化部１４は権利オブジェクトからＣＥＫを抽出して、固有の所定の暗号キーを用いてＣＥＫを暗号化することで、権利オブジェクトの暗号化を実行する。もちろん、これに限定されず暗号化方式は多様にすることができ、ＣＥＫ他に権利オブジェクトに含まれた情報のうち他の何れか一つあるいはそれ以上を暗号化することも可能である。権利オブジェクトが暗号化されれば復号化される前までは該当コンテンツを使用できなくなる。以下の説明では、ホストデバイスだけが知っている暗号キーによって暗号化され、ある特定のフィールドを含む権利オブジェクトを「保安権利オブジェクト」と称する。
【００４０】
インターフェース部１６は、携帯用保存装置２０と接続するためのところであって、インターフェース部１６を通じて携帯用保存装置２０とデータを送受信する。一方、基本的にホストデバイス１０と携帯用保存装置２０が接続されるということはホストデバイス１０と携帯用保存装置２０のインターフェース部（１６，２２）が互いに電気的に接続されたことを意味するが、これは例示的なものであって「接続」という意味は非接触状態で無線媒体を通して通信できる状態にあるという意味も含まれる。その上、ホストデバイス１０のインターフェース部１６および携帯用保存装置２０のインターフェース部２２は相互認証を実行することができ、保安権利オブジェクトの処理とは別に保安通信を実行することができる。保安通信は、保安権利オブジェクトを含む伝送されたデータが相互認証段階のあいだに生成されたセッションキーによって暗号化されることを意味する。
【００４１】
制御部１８は、ユーザからの権利オブジェクトの移動命令時、保存部１２に保存された権利オブジェクトを暗号化するように暗号化部１４を制御して、暗号化された保安権利オブジェクトを保存部１２に保存する。そして、保安権利オブジェクトをインターフェース部１６を通じて携帯用保存装置２０に移動させる。ここで、権利オブジェクト移動命令は、入力部（図示せず）による権利オブジェクトの移動命令設定を意味する。もちろん、制御部１８は、携帯用保存装置２０が接続されさえすれば保存部１２に保存された保安権利オブジェクトを携帯用保存装置２０に移動するように構成することもできる。
【００４２】
また、制御部１８は、携帯用保存装置２０からインターフェース部１６を通じて権利オブジェクトの移動が完了したことが通知されれば、保存部１２に保存された保安権利オブジェクトを削除する。
【００４３】
そして、制御部１８は、保安権利オブジェクトを削除した後、インターフェース部１６を通じて携帯用保存装置２０に保安権利オブジェクトの復号化を要請する。このとき、ＣＥＫを暗号化するために用いた暗号キーを共に伝送する。
【００４４】
携帯用保存装置２０は、インターフェース部２２、保存部２４、復号化部２６、制御部２８を含む。
【００４５】
インターフェース部２２は、ホストデバイス１０と接続するためのところであって、インターフェース部２２を通じてホストデバイス１０とデータを送受信する。
【００４６】
保存部２４にはインターフェース部２２を通じて受信された保安権利オブジェクトが保存される。保安権利オブジェクトは、暗号化される前の権利オブジェクトと区分できる識別部（図示せず）を有することができる。あるいは、保安権利オブジェクトを区分できる識別装置が独立的に提供されることもできる。
【００４７】
復号化部２６は、制御部２８の要請により保存部２４に保存された保安権利オブジェクトを復号化する。具体的に、復号化部２６はインターフェース部２２を通じてホストデバイス１０から伝送された暗号キーを利用して保安権利オブジェクトを復号化する。
【００４８】
制御部２８は、インターフェース部２２を通じて受信された保安権利オブジェクトを識別して保存部２４に保存する。そして、制御部２８は、ホストデバイス１０から保安権利オブジェクトの復号化が要請されれば、保存部２４に保存された保安権利オブジェクトを復号化するように復号化部２６を制御して、復号化された権利オブジェクトを再び保存部２４に保存する。また、制御部２８はインターフェース部２２を通じてホストデバイス１０に復号化の完了を通知する。
【００４９】
図４は、本発明の実施形態による権利オブジェクトの移動方法を示すフローチャートである。図４を参照すると、ホストデバイス１０にユーザから権利オブジェクトの移動命令が入力されれば、制御部１８の制御により暗号化部１４は保存部１２に保存された権利オブジェクトのＣＥＫを抽出して、抽出したＣＥＫを暗号キーで暗号化して保安権利オブジェクトを生成する（Ｓ１０）。そうすると、制御部１８は生成された保安権利オブジェクトを保存部１２に保存する（Ｓ１２）。ホストデバイス１０に保存された権利オブジェクトは該当権利オブジェクトを携帯用保存装置（２０）に成功的に移動する前、ホストデバイス（１０）によって使用されることから防止される必要があるが、なぜなら、移動された保安権利オブジェクトの状態情報がホストデバイス（１０）に保存された権利オブジェクトの状態情報と異なるのは好ましくないからである。すなわち、ホストデバイス（１０）はホストデバイス（１０）および携帯用保存装置（２０）内にほぞんされた二つの権利オブジェクトの一貫性を維持するため、既存の権利オブジェクトの代わりに保安権利オブジェクトを保存する。しかし、制御部（１８）は、保安権利オブジェクトを保存部（１２）保存しないこともある。仮に、移動された保安権利オブジェクトの状態情報がホストデバイス（１０）に保存された権利オブジェクトの状態情報と異なるのであれば、移動された保安権利オブジェクトは削除されることができ、移動過程は再開始することができる。インターフェース部１６を通じて保安権利オブジェクトを携帯用保存装置２０に移動させる（Ｓ１４）。
【００５０】
携帯用保存装置２０の制御部２８は、インターフェース部２２を通じて受信した保安権利オブジェクトを保存部２４に保存して（Ｓ１６）、インターフェース部２２を通じてホストデバイス１０に保安権利オブジェクトの移動が完了したことを通知する（Ｓ１８）。
【００５１】
ホストデバイス１０の制御部１８は、インターフェース部１６を通じて保安権利オブジェクトの移動が完了したことの通知を受けると、保存部１２に保存されている保安権利オブジェクトを削除する（Ｓ２０）。
【００５２】
その後、制御部１８は、インターフェース部１６を通じて携帯用保存装置２０に保安権利オブジェクトの復号化を要請する（Ｓ２２）。復号化の要請時、ＣＥＫを暗号化するために用いた暗号キーを共に伝送する。
【００５３】
復号化の要請を受信した携帯用保存装置２０の制御部２８はＣＥＫを暗号化するために用いた暗号キーを利用して保安権利オブジェクトを復号化するように復号化部２６を制御して（Ｓ２４）、復号化された権利オブジェクトを保存部２４に保存する（Ｓ２６）。そして、制御部２８は、復号化過程が終了したことをインターフェース部２２を通じてホストデバイス１０に通知する（Ｓ２８）。そうすると、ホストデバイス１０は権利オブジェクトの移動プロセスを終了する（Ｓ３０）。
【００５４】
仮に、権利オブジェクトの移動プロセスが図４のＢ時点で非正常的に終了すると、ホストデバイス１０および携帯用保存装置２０に権利オブジェクトが同時に存在しても、権利オブジェクトが暗号化された状態であるため使用することができない。したがって、権利オブジェクトのコピーが防止される。
【００５５】
仮に、ホストデバイス１０で保安権利オブジェクトが削除されなかったとすれば、ホストデバイス１０の保安権利オブジェクトを復号化して正常に使用することができる。しかし、携帯用保存装置２０に保存された保安権利オブジェクトは他の装置に移動することはできるが正常に使用することができない。この保安権利オブジェクトを正常に使用するためにはユーザが権利オブジェクト移動プロセスを再び試みなければならない。
【００５６】
これによって、本発明は権利オブジェクトの移動の前、権利オブジェクトのＣＥＫを暗号化して復号化する前には使用できないようにして、二つの装置に権利オブジェクトが同時に存在してもコピーできないようにし、移動プロセスを正常に終了した場合のみ該当権利オブジェクトを使用できるようにする。一方、前述した実施形態ではホストデバイス１０に保存された権利オブジェクトを暗号化して携帯用保存装置２０に移動させるものと前述した。しかし、本発明はこれに限定されなく、本発明は、携帯用保存装置からホストデバイスへの権利オブジェクトの移動、ホストデバイスの間の権利オブジェクトの移動、携帯用保存装置の間の権利オブジェクトの移動など多様な装置の間の権利オブジェクト移動に適用が可能である。
【００５７】
以上、例示した図面を参照して本発明による権利オブジェクトの移動方法および電子装置について説明したが、本発明は、本明細書に開示された実施形態と図面によって限定されなく、その発明の技術思想の範囲内で当業者によって多様に変形されうるのはもちろんである。
【図面の簡単な説明】
【００５８】
【図１】一般的なデジタル著作権管理システムの構成ブロック図である。
【図２】従来の権利オブジェクトの移動方法を現わしたフローチャートである。
【図３】本発明の実施形態による権利オブジェクトの移動システムの構成ブロック図である。
【図４】本発明の実施形態による権利オブジェクトの移動方法を示すフローチャートである。
【符号の説明】
【００５９】
１０    ホストデバイス
１２，２４    保存部
１４    暗号化部
１６，２２    インターフェース部
１８，２８    制御部
２０    携帯用保存装置
２６    復号化部
【図１】
2009537092.tif 000003
【図２】
2009537092.tif 000004
【図３】
2009537092.tif 000005
【図４】
2009537092.tif 000006
【国際調査報告】
2009537092.tif 000007
2009537092.tif 000008